(57)【特許請求の範囲】
【請求項１】
それぞれフック状部を有する外リンクプレートと内リンクプレートとがチェーン長手方向に屈曲可能に多数連結されたリンク列をチェーン幅方向に複数列有するとともに、対向配置した１対の駆動用スプロケットにより偏向しながら相互に対向するフック状部同士を噛み合わせて一体化されるとともに前記対向配置した１対の駆動用スプロケットにより偏向しながらフック状部同士をそれぞれ噛み外して分離される噛合チェーンにおいて、
前記複数のリンク列のチェーン幅方向に隣り合う少なくとも１対が、両リンク列の内リンクプレート同士を中空のブシュで固定するとともに外リンクプレート同士をブシュに遊嵌される連結ピンで固定して駆動用スプロケットと係合するチェーン噛み合い部分として構成され、
前記複数のリンク列のチェーン幅方向に隣り合う他の対が、前記連結ピンのみをチェーン幅方向に貫通させてケーブル類を収容可能な間隔に画定したケーブル類収容空間部分として構成されていることを特徴とする噛合チェーン。
【請求項２】
前記ケーブル類をガイドするケーブルガイド部材が、前記連結ピンのケーブル類収容空間部分に設けられていることを特徴とする請求項１に記載の噛合チェーン。
【発明の詳細な説明】
【技術分野】
【０００１】
本発明は、各種製造分野の製造設備、運輸分野の移送設備、医療福祉分野の介護設備、芸術分野の舞台設備などに用いて被駆動物を設置面に対して平行に進退動させる駆動装置に組み込まれる噛合チェーンに関するものである。
【背景技術】
【０００２】
従来、相互に噛み合って一体的に昇降する１対の噛合チェーン、所謂、チャックチェーンを用いて重量物などの被駆動物を昇降移動させる駆動装置がある公知である（例えば、特許文献１参照。）。
【０００３】
このような公知の噛合チェーン５００は、図１０および図１１に示すように、左右１対で離間配置されたフック状部５１１を有する内リンクプレート５１０に前後１対のブシュ５３０を圧入嵌合してなる内リンクユニットがチェーン幅方向の最も外側に配置されたフック状部５２１を有する外リンクプレート５２０の前後１対のピン孔に圧入嵌合する前後１対の連結ピン５３１によりチェーン長手方向に多数連結されている。
【０００４】
すなわち、それぞれフック状部５２１、５１１を有する外リンクプレート５２０と内リンクプレート５１０とが連結ピン５３１によりチェーン長手方向に屈曲可能に多数連結されてリンク列Ｌ１、Ｌ２を形成し、該２列のリンク列Ｌ１、Ｌ２がチェーン幅方向に間隔をおいて設けられている。
【０００５】
ブシュ５３０にはローラ５３２が外嵌されており、対向配置された１対の駆動用スプロケット５０１と該ローラ５３２が係合することで、噛合チェーン５００は、それぞれ水平方向から垂直方向へ偏向しながら相互に対向する内リンクプレート５１０のフック状部５１１同士および外リンクプレート５２０のフック状部５２１同士をチェーン長手方向に半ピッチずらした状態で噛み合わせて一体に直線状に自立状態で駆動されるようになっている。
【０００６】
また、１対の駆動用スプロケット５０１外方位置で分離状態のそれぞれの噛合チェーン５００は、１対の内リンクプレート５１０の対向内面でローラ５３２が摺接するように設けられた案内板５０２よってその走行軌道が規定されるようになっている。
【特許文献１】特許第３３７０９２８号公報（特許請求の範囲、図１）
【発明の開示】
【発明が解決しようとする課題】
【０００７】
しかしながら、公知の噛合チェーン５００は、ローラ５３２が駆動用スプロケット５０１と係合して駆動力を伝達するため左右１対の２列のリンク列Ｌ１、Ｌ２の間隔が駆動用スプロケット５０１の幅以上に広くできず、対向配置され噛合した噛合チェーン５００の間隔も１対の駆動用スプロケット５０１及び両ローラ５３２が対向して狭くなるため、対向配置され噛合した１対の噛合チェーン５００の内側に形成される空間部分Ｓが小さく、対向配置され噛合した噛合チェーン５００に沿って給電、信号電送、給液、給気などを行う電気ケーブル、光ファイバーケーブル、流体供給用ホースなどの可撓性のケーブルやホースなど（以下、単に「ケーブル類」という）を配置する場合、空間部分Ｓにケーブル類を収容することができず、噛合チェーン５００とは別のスペースに別の案内部材やカバー部材等を設けてケーブル類を配置しなければならないという問題があった。
【０００８】
また、図１１に示すように、ローラ５３２が摺接するように設けられた案内板５０２が１対の駆動用スプロケット５０１の対向部まで伸びている場合は、そもそも、上記空間部分Ｓにケーブル類を導入することができないという問題があった。
【０００９】
本発明は、前述したような従来技術の問題を解決するものであって、本発明が解決しようとする課題、すなわち、本発明の目的は、噛合チェーンを対向配置して噛合させた際に、対向内側に多様なケーブル類を収容可能な大きなケーブル類収容空間部分を形成し、噛合チェーンに沿ってケーブル類を配置する場合に別のスペースを必要とせず、別途の案内部材やカバー部材等を用いることなく円滑にケーブル類をガイドする噛合チェーンを提供することである。
【課題を解決するための手段】
【００１０】
本請求項１に係る発明は、それぞれフック状部を有する外リンクプレートと内リンクプレートとがチェーン長手方向に屈曲可能に多数連結されたリンク列をチェーン幅方向に複数列有するとともに、対向配置した１対の駆動用スプロケットにより偏向しながら相互に対向するフック状部同士を噛み合わせて一体化されるとともに前記対向配置した１対の駆動用スプロケットにより偏向しながらフック状部同士をそれぞれ噛み外して分離される噛合チェーンにおいて、前記複数のリンク列のチェーン幅方向に隣り合う少なくとも１対が、両リンク列の内リンクプレート同士を中空のブシュで固定するとともに外リンクプレート同士をブシュに遊嵌される連結ピンで固定して駆動用スプロケットと係合するチェーン噛み合い部分として構成され、前記複数のリンク列のチェーン幅方向に隣り合う他の対が、前記連結ピンのみをチェーン幅方向に貫通させてケーブル類を収容可能な間隔に画定したケーブル類収容空間部分として構成されていることにより、前述した課題を解決するものである。
【００１１】
本請求項２に係る発明は、請求項１に記載された噛合チェーンの構成に加えて、前記ケーブル類をガイドするケーブルガイド部材が、前記連結ピンのケーブル類収容空間部分に設けられていることにより、前述した課題をさらに解決するものである。
【発明の効果】
【００１２】
本発明の噛合チェーンは、それぞれフック状部を有する外リンクプレートと内リンクプレートとがチェーン長手方向に屈曲可能に多数連結されたリンク列をチェーン幅方向に複数列有するとともに、対向配置した１対の駆動用スプロケットにより偏向しながら相互に対向するフック状部同士を噛み合わせて一体化されるとともに前記対向配置した１対の駆動用スプロケットにより偏向しながらフック状部同士をそれぞれ噛み外して分離されることにより、駆動用スプロケットの回転によって被昇降物の昇降動作等の駆動力の伝達を等速かつ迅速に行うことができ、以下のような格別の効果を奏することができる。
【００１３】
すなわち、本請求項１に係る発明の噛合チェーンは、複数のリンク列のチェーン幅方向に隣り合う少なくとも１対が両リンク列の内リンクプレート同士を中空のブシュで固定するとともに外リンクプレート同士をブシュに遊嵌される連結ピンで固定して駆動用スプロケットと係合するチェーン噛み合い部分として構成され、複数のリンク列のチェーン幅方向に隣り合う他の対が連結ピンのみをチェーン幅方向に貫通させてケーブル類を収容可能な間隔に画定したケーブル類収容空間部分として構成されていることにより、ケーブル類を収容可能な間隔が、チェーン幅方向で駆動用スプロケットの幅に拘束されずに任意の幅で設定可能となるため、ケーブル類収容空間部分を大きくしケーブル類を収容可能とすることができ、別途の案内部材やカバー部材等を用いることなく円滑にケーブル類をガイドできるとともに、ケーブル類を収容可能な間隔には案内板を省略することができるため、ケーブル類収容空間部分へのケーブル類の導入を妨げることもない。
【００１４】
そして、ケーブル類を収容可能な間隔は対向方向でローラおよびブシュの厚さ分のケーブル類収容空間部分が大きくなるため、ケーブル類を収容可能なケーブル類収容空間部分をさらに大きくすることができ、別途の案内部材やカバー部材等を用いることなく円滑にケーブル類をガイドできるとともに、ケーブル類を収容可能な間隔には案内板を省略することができるため、ケーブル類収容空間部分へのケーブル類の導入を妨げることもない。
【００１５】
また、本請求項２に係る発明の噛合チェーンは、請求項１に係る噛合チェーンが奏する効果に加えて、ケーブル類をガイドするケーブルガイド部材が連結ピンのケーブル類収容空間部分に設けられていることにより、収容されたケーブル類が噛合チェーンの他の構成部材と衝突することが防止されるため、噛合チェーンやケーブル類の損傷や破損を防止することができ、より円滑にケーブル類をガイドできる。
【発明を実施するための最良の形態】
【００１６】
本発明の噛合チェーンは、それぞれフック状部を有する外リンクプレートと内リンクプレートとがチェーン長手方向に屈曲可能に多数連結されたリンク列をチェーン幅方向に複数列有するとともに、対向配置した１対の駆動用スプロケットにより偏向しながら相互に対向するフック状部同士を噛み合わせて一体化されるとともに前記対向配置した１対の駆動用スプロケットにより偏向しながらフック状部同士をそれぞれ噛み外して分離され、複数のリンク列のチェーン幅方向に隣り合う少なくとも１対が両リンク列の内リンクプレート同士を中空のブシュで固定するとともに外リンクプレート同士をブシュに遊嵌される連結ピンで固定して駆動用スプロケットと係合するチェーン噛み合い部分として構成され、複数のリンク列のチェーン幅方向に隣り合う他の対が連結ピンのみをチェーン幅方向に貫通させてケーブル類を収容可能な間隔に画定したケーブル類収容空間部分として構成され、噛合チェーンを対向配置して噛合させた際に、対向内側に多様なケーブル類を収容可能な大きなケーブル類収容空間部分を形成し、噛合チェーンに沿ってケーブル類を配置する場合に別のスペースを必要とせず、別途の案内部材やカバー部材等を用いることなく円滑にケーブル類をガイドするものであれば、その具体的な実施態様は、如何なるものであっても何ら構わない。
【００１７】
例えば、本発明の噛合チェーンで用いる内リンクプレートおよび外リンクプレートのフック状部の具体的な形状については、相互に対向する同種のプレート同士を相互に噛み合せて水平方向から垂直方向へ偏向しながら一体に自立状態で上昇するとともに垂直方向から水平方向へ偏向しながら相互に噛み外して分岐するものであれば如何なる形状を呈するものであっても良い。
【００１８】
また、本発明の噛合チェーンにおいてチェーン幅方向に配置するリンク列の数は、必要とする駆動力に応じていかなる列数でも良い。
【００１９】
そして、本発明の噛合チェーンが組み込まれる噛合チェーン式駆動装置は、床面に設置据え置き設置形態となるように設置されるものであっても、天井に吊り下げ設置形態となるように設置されるものであっても良く、さらには、垂直壁面に片持ち支持形態となるように設置されるものであっても良い。
【実施例】
【００２０】
以下に、本発明の実施例である噛合チェーンについて、図面に基づいて説明する。
図１は、本発明の実施例である噛合チェーンを用いた使用態様図であり、図２は、図１から昇降テーブルとパンタアームを除いた状態の斜視図であり、図３は、噛合チェーンの一部拡大図であり、図４は、本発明の第１実施例である噛合チェーンの一部断面正面図であり、図５は、図４の噛合チェーンの噛合時の説明図であり、図６は、本発明の第２実施例である噛合チェーンの噛合時の説明図であり、図７は、本発明の第３実施例である噛合チェーンの噛合時の説明図であり、図８は、本発明の第４実施例である噛合チェーンの斜視図であり、図９は、本発明の第４実施例である噛合チェーンの噛合時の説明図である。
【００２１】
まず、本発明の一実施例である噛合チェーン１００は、図１に示すように、重量物などの被駆動物（図示しない）を搭載する昇降テーブルＴを設置面に対して平行に昇降させるために、作業床面に据え置き状態で設置された噛合チェーン式駆動装置Ｅに組み込まれて使用されるものである。
【００２２】
前述した噛合チェーン式駆動装置Ｅは、図１および図２に示すように、前述した昇降テーブルＴが平行に昇降する設置面に据え付けたベースプレートＰと、このベースプレートＰに対して平行に併置された１対の回転軸を中心に同一面内で相互に対向して反対方向に正逆回転する１対の駆動用スプロケット１０１と、これらの１対の駆動用スプロケット１０１と噛み外れることによって昇降テーブルＴを昇降する１対の噛合チェーン１００と、この噛合チェーン１００の上端に固着されて一体に昇降する前述した昇降テーブルＴと、１対の駆動用スプロケット１０１を駆動する駆動モータＭと、１対の噛合チェーン１００の走行経路を規定する案内溝１０３を形成する案内板１０２とを基本的な装置構成として備えている。
【００２３】
なお、図１および図２に示す符号Ｄは、駆動モータＭの出力軸側に同軸配置した１対の駆動側スプロケットであり、符号Ｃは、駆動側スプロケットＤから１対の駆動用スプロケット１０１側へ動力伝達するためのローラチェーンからなる１対の動力伝達チェーンであり、符号Ｇは、１対の動力伝達チェーンＣから一方向の回転を変速するとともに１対の駆動用スプロケット１０１へ相互に反対方向に正逆回転するように動力伝達するための同期ギア群であり、符号Ａは、昇降テーブルＴと設置面側のベースプレートＰとの間に設置されたＸ字状のパンタアームと称するインナーアームＡ１とアウターアームＡ２とからなる上下２段連結形態の昇降補助ガイド手段であり、符号Ｒは、昇降動作に応じたインナーアームＡ１の下端の往復動を摺動案内するスライドレールであり、符号Ｂは、相互に噛み外れて分岐した１対の噛合チェーン１００の一方を収納する巻き取り型のチェーン収納ボックスである。
【００２４】
噛合チェーン式駆動装置Ｅにおいて１対で用いられる本発明の第１実施例の噛合チェーン１００は、図２乃至図５に示すように、それぞれフック状部１２１、１１１を有する外リンクプレート１２０と内リンクプレート１１０とがチェーン長手方向に屈曲可能に多数連結されてリンク列Ｌ１、Ｌ２、Ｌ３、Ｌ４を形成し、該４列のリンク列Ｌ１、Ｌ２、Ｌ３、Ｌ４がチェーン幅方向に間隔をおいて設けられている。
【００２５】
リンク列Ｌ１、Ｌ２およびリンク列Ｌ３、Ｌ４の対は、それぞれ、左右１対の離間配置されたリンク列のフック状部１１１を有する内リンクプレート１１０に前後１対のブシュ１３０を圧入嵌合してなる内リンクユニットが、チェーン幅方向のその外側に配置されたフック状部１２１を有する外リンクプレート１２０の前後１対のピン孔に圧入嵌合する前後１対の連結ピン１３１によりチェーン長手方向に多数連結され、それぞれのブシュ１３０にローラ１３２が外嵌されたローラチェーン部、すなわち、チェーン噛み合い部分１０５を形成している。
【００２６】
そして、噛合チェーン１００のチェーン噛み合い部分１０５は、対向配置された１対の駆動用スプロケット１０１がローラ１３２に係合することで、それぞれ水平方向から垂直方向へ偏向しながら相互に対向する内リンクプレート１１０のフック状部１１１同士および外リンクプレート１２０のフック状部１２１同士をチェーン長手方向に半ピッチずらした状態で噛み合わせて一体に直線状に自立状態で駆動されるようになっている。
【００２７】
一方、リンク列Ｌ２、Ｌ３の間は、連結ピン１３１のみが存在してチェーン幅方向にケーブル類を収容可能な所定の間隔を確保されており、噛合チェーン１００が対向配置され噛合した時に、ケーブル類１０４を収容するケーブル類収容空間部分Ｓが画定される。
【００２８】
該ケーブル類収容空間部分Ｓを確定するそれぞれの噛合チェーン１００のリンク列Ｌ２、Ｌ３の間のケーブル類を収容可能な間隔には、駆動スプロケット１０１は係合しないため、画定されたケーブル類収容空間部分Ｓが全てケーブル類１０４の収容空間として使用できるとともに、該ケーブル類を収容可能な間隔には案内板１０２も存在しないため、噛合チェーン１００が噛合う部分からケーブル類１０４を導入することができる。
【００２９】
このことで、噛合チェーン１００に沿ってケーブル類１０４を配置する場合でも別のスペースを必要とせず、別途の案内部材やカバー部材等を用いることなく円滑にケーブル類１０４をガイドすることができる。
【００３０】
なお、リンク列Ｌ２、Ｌ３の間のケーブル類を収容可能な間隔は、収容するケーブル類１０４の太さや数に応じて適宜定めることができる。
また、リンク列Ｌ１、Ｌ２およびリンク列Ｌ３、Ｌ４で構成される駆動スプロケット１０１が係合するチェーン噛み合い部分１０５は、さらに多数の内リンクプレート１１０および外リンクプレート１２０をチェーン幅方向に交互に密に配置し、内リンクプレート１１０および外リンクプレート１２０のフック状部１１１、１２１の背面側に駆動スプロケット１０１が係合する、いわゆるサイレントチェーンの形式としても良い。
【００３１】
本発明の第２実施例の噛合チェーン２００は、図６に示すように、それぞれフック状部１２１、１１１を有する外リンクプレート１２０と内リンクプレート１１０とがチェーン長手方向に屈曲可能に多数連結されてリンク列Ｌ１、Ｌ２、Ｌ３、Ｌ４、Ｌ５、Ｌ６を形成し、該６列のリンク列Ｌ１、Ｌ２、Ｌ３、Ｌ４、Ｌ５、Ｌ６がチェーン幅方向に間隔をおいて設けられている。
【００３２】
リンク列Ｌ１、Ｌ２、リンク列Ｌ３、Ｌ４およびリンク列Ｌ５、Ｌ６の対は、それぞれ、左右１対の離間配置されたリンク列のフック状部１１１を有する内リンクプレート１１０に前後１対のブシュ１３０を圧入嵌合してなる内リンクユニットが、チェーン幅方向のその外側に配置されたフック状部１２１を有する外リンクプレート１２０の前後１対のピン孔に圧入嵌合する前後１対の連結ピン１３１によりチェーン長手方向に多数連結され、それぞれのブシュ１３０にローラ１３２が外嵌されたローラチェーン部、すなわち、チェーン噛み合い部分１０５を形成している。
【００３３】
そして、噛合チェーン２００のチェーン噛み合い部分１０５は、対向配置された１対の駆動用スプロケット１０１がローラ１３２に係合することで、それぞれ水平方向から垂直方向へ偏向しながら相互に対向する内リンクプレート１１０のフック状部１１１同士および外リンクプレート１２０のフック状部１２１同士をチェーン長手方向に半ピッチずらした状態で噛み合わせて一体に直線状に自立状態で駆動されるようになっている。
【００３４】
一方、リンク列Ｌ２、Ｌ３およびリンク列Ｌ４、Ｌ５の間は、連結ピン１３１のみが存在してチェーン幅方向にケーブル類を収容可能な所定の間隔を確保されており、噛合チェーン２００が対向配置され噛合した時に、それぞれケーブル類１０４を収容するケーブル類収容空間部分Ｓ１、Ｓ２が画定される。
【００３５】
これらケーブル類収容空間部分Ｓ１、Ｓ２を確定するそれぞれの噛合チェーン２００のリンク列Ｌ２、Ｌ３およびリンク列Ｌ４、Ｌ５の間のケーブル類を収容可能な間隔には、駆動スプロケット１０１は係合しないため、画定されたケーブル類収容空間部分Ｓ１、Ｓ２が全てケーブル類１０４の収容空間として使用できるとともに、該ケーブル類を収容可能な間隔には案内板１０２も存在しないため、噛合チェーン２００が噛合う部分からケーブル類１０４を導入することができる。
【００３６】
このことで、噛合チェーン２００に沿ってケーブル類１０４を配置する場合でも別のスペースを必要とせず、別途の案内部材やカバー部材等を用いることなく円滑にケーブル類１０４をガイドすることができるとともに、ケーブル類収容空間部分を２つに区分することができるため、ケーブル同士が接触したり絡まったりすると支障のある複数のケーブル類１０４を分けて収容することができる。
【００３７】
なお、リンク列Ｌ２、Ｌ３およびリンク列Ｌ４、Ｌ５の間のケーブル類を収容可能な間隔は、収容するケーブル類１０４の太さや数に応じて適宜定めることができる。
また、リンク列Ｌ１、Ｌ２、リンク列Ｌ３、Ｌ４およびリンク列Ｌ５、Ｌ６で構成される駆動スプロケット１０１が係合するチェーン噛み合い部分１０５は、さらに多数の内リンクプレート１１０および外リンクプレート１２０をチェーン幅方向に交互に密に配置し、内リンクプレート１１０および外リンクプレート１２０のフック状部１１１、１２１の背面側に駆動スプロケット１０１が係合する、いわゆるサイレントチェーンの形式としても良い。
【００３８】
本発明の第３実施例の噛合チェーン３００は、図７に示すように、それぞれフック状部１２１、１１１を有する外リンクプレート１２０と内リンクプレート１１０とがチェーン長手方向に屈曲可能に多数連結されてリンク列Ｌ１、Ｌ２、Ｌ３、Ｌ４、Ｌ５を形成し、該６列のリンク列Ｌ１、Ｌ２、Ｌ３、Ｌ４、Ｌ５がチェーン幅方向に間隔をおいて設けられている。
【００３９】
リンク列Ｌ１、Ｌ２およびリンク列Ｌ４、Ｌ５の対は、それぞれ、左右１対の離間配置されたリンク列のフック状部１１１を有する内リンクプレート１１０に前後１対のブシュ１３０を圧入嵌合してなる内リンクユニットが、チェーン幅方向のその外側に配置されたフック状部１２１を有する外リンクプレート１２０の前後１対のピン孔に圧入嵌合する前後１対の連結ピン１３１によりチェーン長手方向に多数連結され、それぞれのブシュ１３０にローラ１３２が外嵌されたローラチェーン部、すなわち、チェーン噛み合い部分１０５を形成している。
【００４０】
そして、噛合チェーン３００のチェーン噛み合い部分１０５は、対向配置された１対の駆動用スプロケット１０１がローラ１３２に係合することで、それぞれ水平方向から垂直方向へ偏向しながら相互に対向する内リンクプレート１１０のフック状部１１１同士および外リンクプレート１２０のフック状部１２１同士をチェーン長手方向に半ピッチずらした状態で噛み合わせて一体に直線状に自立状態で駆動されるようになっている。
【００４１】
一方、リンク列Ｌ２、Ｌ３およびリンク列Ｌ３、Ｌ４の間は、連結ピン１３１のみが存在してチェーン幅方向にケーブル類を収容可能な所定の間隔を確保されており、噛合チェーン３００が対向配置され噛合した時に、それぞれケーブル類１０４を収容するケーブル類収容空間部分Ｓ１、Ｓ２が画定される。
【００４２】
これらケーブル類収容空間部分Ｓ１、Ｓ２を確定するそれぞれの噛合チェーン３００のリンク列Ｌ２、Ｌ３およびリンク列Ｌ３、Ｌ４の間のケーブル類を収容可能な間隔には、駆動スプロケット１０１は係合しないため、画定されたケーブル類収容空間部分Ｓ１、Ｓ２が全てケーブル類１０４の収容空間として使用できるとともに、該ケーブル類を収容可能な間隔には案内板１０２も存在しないため、噛合チェーン３００が噛合う部分からケーブル類１０４を導入することができる。
【００４３】
このことで、噛合チェーン３００に沿ってケーブル類１０４を配置する場合でも別のスペースを必要とせず、別途の案内部材やカバー部材等を用いることなく円滑にケーブル類１０４をガイドすることができるとともに、ケーブル類収容空間部分を２つに区分することができるため、ケーブル同士が接触したり絡まったりすると支障のある複数のケーブル類１０４を分けて収容することができ、さらに、２つのケーブル類収容空間部分Ｓ１、Ｓ２はリンク列Ｌ３のみで分割されているため、噛合チェーン３００の幅が狭くても２つの収容空間を得ることができる。
【００４４】
なお、リンク列Ｌ２、Ｌ３およびリンク列Ｌ３、Ｌ４の間のケーブル類を収容可能な間隔は、収容するケーブル類１０４の太さや数に応じて適宜定めることができる。
また、リンク列Ｌ１、Ｌ２およびリンク列Ｌ４、Ｌ５で構成される駆動スプロケット１０１が係合するチェーン噛み合い部分１０５は、さらに多数の内リンクプレート１１０および外リンクプレート１２０をチェーン幅方向に交互に密に配置し、内リンクプレート１１０および外リンクプレート１２０のフック状部１１１、１２１の背面側に駆動スプロケット１０１が係合する、いわゆるサイレントチェーンの形式としても良い。
【００４５】
本発明の第４実施例の噛合チェーン４００は、図８および図９に示すように、それぞれフック状部１２１、１１１を有する外リンクプレート１２０と内リンクプレート１１０とがチェーン長手方向に屈曲可能に多数連結されてリンク列Ｌ１、Ｌ２、Ｌ３、Ｌ４を形成し、該４列のリンク列Ｌ１、Ｌ２、Ｌ３、Ｌ４がチェーン幅方向に間隔をおいて設けられている。
【００４６】
リンク列Ｌ１、Ｌ２およびリンク列Ｌ３、Ｌ４の対は、それぞれ、左右１対の離間配置されたリンク列のフック状部１１１を有する内リンクプレート１１０に前後１対のブシュ１３０を圧入嵌合してなる内リンクユニットが、チェーン幅方向のその外側に配置されたフック状部１２１を有する外リンクプレート１２０の前後１対のピン孔に圧入嵌合する前後１対の連結ピン１３１によりチェーン長手方向に多数連結され、それぞれのブシュ１３０にローラ１３２が外嵌されたローラチェーン部、すなわち、チェーン噛み合い部分１０５を形成している。
【００４７】
そして、噛合チェーン４００のチェーン噛み合い部分１０５は、対向配置された１対の駆動用スプロケット１０１がローラ１３２に係合することで、それぞれ水平方向から垂直方向へ偏向しながら相互に対向する内リンクプレート１１０のフック状部１１１同士および外リンクプレート１２０のフック状部１２１同士をチェーン長手方向に半ピッチずらした状態で噛み合わせて一体に直線状に自立状態で駆動されるようになっている。
【００４８】
一方、リンク列Ｌ２、Ｌ３の間は、連結ピン１３１が存在してチェーン幅方向にケーブル類を収容可能な所定の間隔を確保されており、噛合チェーン４００が対向配置され噛合した時に、ケーブル類１０４を収容するケーブル類収容空間部分Ｓが画定されるとともに、ケーブル類１０４を固定するためのケーブルガイド部材１３３が連結ピン１３１に嵌合するように設けられている。
【００４９】
ケーブル類収容空間部分Ｓを確定するそれぞれの噛合チェーン４００のリンク列Ｌ２、Ｌ３の間のケーブル類を収容可能な間隔には、駆動スプロケット１０１は係合しないため、画定されたケーブル類収容空間部分Ｓが全てケーブル類１０４の収容空間として使用できるとともに、該ケーブル類を収容可能な間隔には案内板１０２も存在しないため、噛合チェーン１００が噛合う部分からケーブル類１０４を導入することができる。
【００５０】
このことで、噛合チェーン４００に沿ってケーブル類１０４を配置する場合でも別のスペースを必要とせず、別途の案内部材やカバー部材等を用いることなく円滑にケーブル類１０４をガイドすることができるとともに、ケーブルガイド部材１３３がケーブル類１０４を挟持して収容されたケーブル類１０４が噛合チェーン４００の他の構成部材と衝突することを防止するため、噛合チェーン４００やケーブル類１０４の損傷や破損を防止することができる。
【００５１】
なお、リンク列Ｌ２、Ｌ３の間のケーブル類を収容可能な間隔及びケーブルガイド部材１３３の形状や材質は、収容するケーブル類１０４の太さ、数、材質等に応じて適宜定めることができる。
また、リンク列Ｌ１、Ｌ２およびリンク列Ｌ３、Ｌ４で構成される駆動スプロケット１０１が係合するチェーン噛み合い部分１０５は、さらに多数の内リンクプレート１１０および外リンクプレート１２０をチェーン幅方向に交互に密に配置し、内リンクプレート１１０および外リンクプレート１２０のフック状部１１１、１２１の背面側に駆動スプロケット１０１が係合する、いわゆるサイレントチェーンの形式としても良い。
【００５２】
以上述べたように、本発明の噛合チェーンによれば、対向配置されて噛合した際に、対向内側に多様なケーブル類を収容可能な大きな空間が形成され、噛合チェーンに沿ってケーブル類を配置する場合でも別のスペースを必要とせず、別途の案内部材やカバー部材等を用いることなく円滑にケーブル類をガイドすることができるなど、その効果は甚大である。
【００５３】
なお、各実施例におけるチェーン噛み合い部分１０５は、ローラ１３２を省略して駆動用スプロケットが直接ブシュ１３０に係合する、いわゆる、ブシュチェーンの形態としても良い。
【図面の簡単な説明】
【００５４】
【図１】本発明の実施例である噛合チェーンを用いた使用態様図。
【図２】図１から昇降テーブルとパンタアームを除いた状態の斜視図。
【図３】噛合チェーンの一部拡大図。
【図４】本発明の第１実施例である噛合チェーンの一部断面正面図。
【図５】図４の噛合チェーンの噛合時の説明図。
【図６】本発明の第２実施例である噛合チェーンの噛合時の説明図。
【図７】本発明の第３実施例である噛合チェーンの噛合時の説明図。
【図８】本発明の第４実施例である噛合チェーンの斜視図。
【図９】本発明の第４実施例である噛合チェーンの噛合時の説明図。
【図１０】従来の噛合チェーンの一部断面平面図。
【図１１】従来の噛合チェーンと駆動スプロケットの噛合の説明図。
【符号の説明】
【００５５】
１００、５００  ・・・噛合チェーン
２００、３００  ・・・噛合チェーン
４００          ・・・噛合チェーン
１０１、５０１  ・・・駆動用スプロケット
１０２          ・・・案内板
１０３          ・・・案内溝
１０４          ・・・ケーブル類
１０５          ・・・チェーン噛み合い部分
１１０、５１０  ・・・内リンクプレート
１１１、５１１  ・・・フック状部
１２０、５２０  ・・・外リンクプレート
１２１、５２１  ・・・フック状部
１３０、５３０  ・・・ブシュ
１３１、５３１  ・・・連結ピン
１３２、５３２  ・・・ローラ
１３３          ・・・ケーブルガイド部材
Ｅ    ・・・噛合チェーン式昇降装置
Ｔ    ・・・昇降テーブル
Ｐ    ・・・ベースプレート
Ｍ    ・・・駆動モータ
Ｄ    ・・・駆動側スプロケット
Ｃ    ・・・動力伝達チェーン
Ｇ    ・・・同期ギア群
Ａ    ・・・昇降補助ガイド手段
Ａ１  ・・・インナーアーム
Ａ２  ・・・アウターアーム
Ｒ    ・・・スライドレール
Ｂ    ・・・チェーン収納ボックス
Ｌ    ・・・リンク列
Ｓ    ・・・ケーブル類収容空間部分
【図１】
0004662502.tif 000002
【図２】
0004662502.tif 000003
【図３】
0004662502.tif 000004
【図４】
0004662502.tif 000005
【図５】
0004662502.tif 000006
【図６】
0004662502.tif 000007
【図７】
0004662502.tif 000008
【図８】
0004662502.tif 000009
【図９】
0004662502.tif 000010
【図１０】
0004662502.tif 000011
【図１１】
0004662502.tif 000012